(57)【特許請求の範囲】
【請求項１】
処理対象となる木材を収容する燻煙処理室を有し、木質タール成分を含む燻煙を前記燻煙処理室に導入して木材の燻煙処理を行う装置であって、
前記燻煙処理室は、側壁内面に鉛直方向に延びる複数の側壁溝部が形成されており、
燃料用木材を燃焼させて、前記燻煙処理室に導入する燻煙を生成する燃焼室を更に備え、
前記燃焼室は、蒸気発生口が上部に形成された蒸発管を備えており、前記蒸発管に供給された水を前記燃焼室内の燃焼熱により蒸発させて、前記蒸気発生口から水蒸気を放出するように構成された木材の燻煙処理装置。
【請求項２】
前記燻煙処理室は、天壁内面に前記側壁溝部と連通する天壁溝部が形成されている請求項１に記載の木材の燻煙処理装置。
【発明の詳細な説明】
【技術分野】
【０００１】
本発明は、木材の燻煙処理装置に関する。
【背景技術】
【０００２】
原木等の木材を燻煙処理する装置として、例えば、特許文献１に開示された構成が知られている。この装置は、コンクリート壁で囲まれた収容空間に被処理木材が収容される燻煙炉を備えており、燃焼炉から燻煙炉に導入される燻煙によって、被処理木材に対する燻煙処理が施される。
【先行技術文献】
【特許文献】
【０００３】
【特許文献１】特開２０１０−５２４１２号公報
【発明の概要】
【発明が解決しようとする課題】
【０００４】
燻煙炉に導入される燻煙は、一般には廃材や木片などの燃料用木材を燃焼炉で燃焼させることにより生成されるため、木質タール成分を含んでいる。この木質タール成分は、燻煙炉の内壁面に付着することにより燻煙炉内の熱を吸収して輻射熱を生じさせるため、燻煙自体による熱放射の効果と相俟って、処理対象となる木材の細胞を熱固定して、木材の寸法を安定化させることができる。
【０００５】
ところが、従来の燻煙炉は、側壁内面に対する木質タール成分の付着が不均一になり易く、広範囲の側壁から熱放射することが困難であるため、良質な燻煙処理木材を得る観点から更に改良の余地があった。
【０００６】
そこで、本発明は、燻煙処理を効率良く行うことができる木材の燻煙処理装置の提供を目的とする。
【課題を解決するための手段】
【０００７】
本発明の前記目的は、処理対象となる木材を収容する燻煙処理室を有し、木質タール成分を含む燻煙を前記燻煙処理室に導入して木材の燻煙処理を行う装置であって、前記燻煙処理室は、側壁内面に鉛直方向に延びる複数の側壁溝部が形成されており、燃料用木材を燃焼させて前記燻煙処理室に導入する燻煙を生成する燃焼室を更に備え、前記燃焼室は、蒸気発生口が上部に形成された蒸発管を備えており、前記蒸発管に供給された水を前記燃焼室内の燃焼熱により蒸発させて、前記蒸気発生口から水蒸気を放出するように構成された木材の燻煙処理装置により達成される。
【０００８】
この木材の燻煙処理装置において、前記燻煙処理室は、天壁内面に前記側壁溝部と連通する天壁溝部が形成されていることが好ましい。
【発明の効果】
【０００９】
本発明によれば、燻煙処理を効率良く行うことができる木材の燻煙処理装置を提供することができる。
【図面の簡単な説明】
【００１０】
【図１】本発明の一実施形態に係る木材の燻煙処理装置の概略構成図である。
【図２】図１に示す木材の燻煙処理装置における燃焼室の要部拡大図である。
【図３】図１に示す木材の燻煙処理装置における燻煙処理室の要部拡大図である。
【発明を実施するための形態】
【００１１】
以下、本発明の実施の形態について、添付図面を参照して説明する。図１は、本発明の一実施形態に係る燻煙処理装置の概略構成図であり、縦断面を示している。図１に示すように、燻煙処理装置１は、燃焼炉１０および燻煙炉２０を備えている。
【００１２】
燃焼炉１０は、燃料用木材を貯留する燃焼室１１を有しており、上部に形成された扉１２を開けて、廃材、木片、おがくずなどの燃料用木材を燃焼室１１に収容できるように構成されている。燃焼室１１の下部には、外部と連通可能に開閉制御することができる給気口１３が形成されており、燃焼室１１の上部は煙道１４に接続されている。煙道１４の底面１４ａは、燻煙の流れ方向に沿って上昇する傾斜面とされており、燃焼室１１との接続部近傍に凹状の水溜部１４ｂが形成されている。
【００１３】
また、燃焼室１１の上部には、燃焼炉１０内に散水する散水管１５ａと、燃焼炉１０で生成された燻煙をウェット状態に維持するための蒸気管１５ｂとを備えており、これら散水管１５ａおよび蒸気管１５ｂは、図１の紙面と直交する方向に水平に配置されている。散水管１５ａは、燃焼室１１の全体に散水できるように多数の小孔を有しており、散水装置（図示せず）から供給された水を、水量調整弁（図示せず）の操作により適量散布できるように構成されている。また、蒸気管１５ｂは、例えば直径が１５０ｍｍ程度の直管からなり、燃焼室１１における煙道１４との接続部近傍に配置されている。この蒸気管１５ｂは、図２に示すように、燃焼炉１０の外部に設置された給水タンク１５１ｂにループシール管１５２ｂを介して接続されている。蒸気管１５ｂの上部には、内部で発生した蒸気が放出される複数の蒸気発生口１５３ｂが形成されており、燃焼室１１で生成された燻煙が、蒸気発生口１５３ｂの上方を通過して煙道１４に導入されるように構成されている。
【００１４】
燻煙炉２０は、煙道１４の直上に位置するように燻煙処理室２１が設けられており、燻煙処理室２１の底部全体から燻煙が流入する。燻煙処理室２１は開閉可能な扉２２を備えており、図１に破線で示すように、処理対象となる木材を搭載した台車２３を外部から搬入できるように構成されている。台車２３は、従来の構成と同様に、格子状の棚板により木材を上下多段に搭載することが可能であり、各木材に燻煙を行き渡らせることができる。燻煙処理室２１内の燻煙は、排煙口２４から煙突２５を経て外部に排出される。
【００１５】
図３は、図１に示す木材の燻煙処理装置における燻煙処理室の要部拡大図である。図１および図３に示すように、燻煙処理室２１の側壁２１１の内面には、鉛直方向に延びる複数の側壁溝部２１１ａが、全体にわたって略等間隔に形成されている。この側壁溝部２１１ａは、例えばガルバリウム鋼板からなる角波板を側壁に取り付けて形成することができる。側壁溝部２１１ａは、上記のように板材を折曲状に形成する代わりに、表面を切除したり、あるいは互いに平行な複数の突起部を設けて形成することも可能である。
【００１６】
燻煙処理室２１は、天壁２１２の内面にも、複数の天壁溝部２１２ａが全体にわたって略等間隔に形成されている。複数の天壁溝部２１２ａは、両端部がそれぞれ側壁溝部２１１ａに連通するように、互いに平行に配置されている。天壁溝部２１２ａは、本実施形態ではガルバリウム鋼板からなる角波板としているが、特に限定されるものではなく、側壁溝部２１１ａと同様に他の方法で形成することも可能である。
【００１７】
上記の構成を備える燻煙処理装置１は、従来の構成と同様に、燃焼炉１０内で発生した燻煙が、煙道１４を経て燻煙炉２０に下方から導入され、燻煙処理室２１内を循環することにより、木材に対する燻煙処理が施される。燻煙処理室２１内の温度は、複数設置された温度センサ（図示せず）により検出され、所望の温度に維持されるように給気口１３および排煙口２４の開度調節が行われる。
【００１８】
燻煙は、燃料用木材を燃焼させることにより生成されるため、木質タール成分が含まれており、この木質タール成分が、主として燻煙処理室２１における側壁２１１の上部や天壁２１２に付着する。本実施形態においては、側壁２１１の内面に対して、鉛直方向に延びる複数の側壁溝部２１１ａが形成されているため、木質タール成分が付着する表面積が増大するだけでなく、側壁２１１の上部に付着した木質タール成分が側壁溝部２１１ａに沿って自重で流れ落ちることにより、木質タール成分が付着し難い側壁溝部２１１ａの内面にも、木質タール成分を均一にコーティングすることができる。したがって、従来の構成と比較して木質タール成分の付着面積を容易に増大させることができ、処理対象の木材に対して輻射熱を効率良く作用させることができるので、良質な燻煙処理木材を得ることができる。
【００１９】
また、側壁２１１に側壁溝部２１１ａを形成しただけでなく、天壁２１２にも複数の天壁溝部２１２ａが形成されており、この天壁溝部２１２ａが側壁溝部２１１ａと連通しているため、天壁溝部２１２ａから側壁溝部２１１ａへのスムーズな燻煙流れを生じさせて、側壁溝部２１１ａに沿った木質タール成分の流下を促すことができる。天壁溝部２１２ａは、本実施形態では略水平に延びるように形成しているが、天壁２１２の中央から側壁２１１に向けて下方に傾斜するように形成してもよい。
【００２０】
更に、燃焼炉１０の燃焼室１１においては、蒸気管１５ｂ内に供給された水が燃焼熱で蒸発することにより蒸気発生口１５３ｂから水蒸気が噴出するため、燃料用木材としておがくずや製材の端材等の乾質の材料を使用した場合でも、適度に加湿された質の良い煙を燻煙処理室２１に導入して、燻煙処理の対象となる木材のわれ等を効果的に防止することができると共に、燻煙が加湿されることにより、側壁溝部２１１ａに沿った木質タール成分の流下がより生じ易くなる。蒸気管１５ｂは、本実施形態においては外部の給水タンクに接続しているが、例えば水溜部１４ｂに接続することも可能であり、この場合は、水溜部１４ｂに貯留される水の液面を考慮して、蒸気管１５ｂの高さ位置を適宜設定すればよい。
【符号の説明】
【００２１】
１  燻煙処理装置
１０  燃焼炉
１１  燃焼室
１５ａ  散水管
１５ｂ  蒸気管
１５３ｂ  蒸気発生口
２０  燻煙炉
２１  燻煙処理室
２１１  側壁
２１１ａ  側壁溝部
２１２  天壁
２１２ａ  天壁溝部
【図１】
0005838519.tif 000002
【図２】
0005838519.tif 000003
【図３】
0005838519.tif 000004